(57)【要約】  本開示の実施例は、信号処理方法および装置を提供する。本開示の信号処理方法は、アップリンクビームの走査に用いられる第１アップリンクサウンディング参照信号リソースを端末に指示することと、端末から第１アップリンクサウンディング参照信号リソースで送信されたアップリンクサウンディング参照信号を受信することと、端末から送信されたアップリンクサウンディング参照信号に基づいて目標アップリンクサウンディング参照信号を特定し、目標アップリンクサウンディング参照信号のＩＤを端末に送信することと、端末が目標アップリンクサウンディング参照信号のＩＤと第２アップリンクサウンディング参照信号リソースに基づいてチャネル測定用のアップリンクサウンディング参照信号を送信するように、第２アップリンクサウンディング参照信号リソースを端末に指示することとを含む。【選択図】  図２
2020515177.tif 000002
【特許請求の範囲】
【請求項１】
アップリンクビームの走査に用いられる第１アップリンクサウンディング参照信号リソースを端末に指示することと、
前記端末から前記第１アップリンクサウンディング参照信号リソースで送信されたアップリンクサウンディング参照信号を受信することと、
前記端末から送信されたアップリンクサウンディング参照信号に基づいて目標アップリンクサウンディング参照信号を特定し、前記目標アップリンクサウンディング参照信号のＩＤを前記端末に送信することと、
前記端末が前記目標アップリンクサウンディング参照信号のＩＤと第２アップリンクサウンディング参照信号リソースに基づいてチャネル測定用のアップリンクサウンディング参照信号を送信するように、第２アップリンクサウンディング参照信号リソースを前記端末に指示することとを含む信号処理方法。
【請求項２】
第１アップリンクサウンディング参照信号リソースを端末に指示することは、
Ｍ（０より大きい整数）個のアップリンクサウンディング参照信号リソースを含み、または、Ｍ個のポートを含む１つのアップリンクサウンディング参照信号リソースを含む第１アップリンクサウンディング参照信号リソースを、前記端末に対し構成することと、
前記第１アップリンクサウンディング参照信号リソースを、明示的シグナリングまたは暗示的シグナリングによって前記端末に指示することとを含む請求項１に記載の方法。
【請求項３】
前記端末から送信されたアップリンクサウンディング参照信号に基づいて目標アップリンクサウンディング参照信号を特定することは、
前記端末から送信されたアップリンクサウンディング参照信号に基づいて、信号品質が所定の要件を満たす１つまたは複数のアップリンクサウンディング参照信号を選択することと、
前記１つまたは複数のアップリンクサウンディング参照信号を前記目標アップリンクサウンディング参照信号とすることとを含む請求項１に記載の方法。
【請求項４】
第２アップリンクサウンディング参照信号リソースを前記端末に指示することは、
Ｎ（０以上の整数）個の第２アップリンクサウンディング参照信号リソースを、前記端末に対し構成することと、
前記第２アップリンクサウンディング参照信号リソースを、明示的シグナリングまたは暗示的シグナリングによって前記端末に指示することとを含む請求項１に記載の方法。
【請求項５】
前記第２アップリンクサウンディング参照信号リソースと前記目標アップリンクサウンディング参照信号のＩＤとの対応関係を含む対応関係指示情報を前記端末に送信すること、または、
前記第２アップリンクサウンディング参照信号リソースと前記目標アップリンクサウンディング参照信号のＩＤとの対応関係を、前記端末と予め取り決めることをさらに含む請求項１に記載の方法。
【請求項６】
前記端末から送信されたチャネル測定用のアップリンクサウンディング参照信号を受信し、前記チャネル測定用のアップリンクサウンディング参照信号に基づいてチャネル測定を行うことをさらに含む請求項１〜５のいずれか一項に記載の方法。
【請求項７】
ネットワーク側から指示されたアップリンクビーム走査用の第１アップリンクサウンディング参照信号リソースを取得することと、
前記第１アップリンクサウンディング参照信号リソースでアップリンクサウンディング参照信号を前記ネットワーク側に送信することと、
前記ネットワーク側から送信された目標アップリンクサウンディング参照信号のＩＤを受信することと、
前記ネットワーク側から指示された第２アップリンクサウンディング参照信号リソースを取得し、前記第２アップリンクサウンディング参照信号リソースと前記目標アップリンクサウンディング参照信号のＩＤに基づいて、チャネル測定用のアップリンクサウンディング参照信号を送信することとを含む信号処理方法。
【請求項８】
ネットワーク側から指示された第１アップリンクサウンディング参照信号リソースを取得することは、
前記ネットワーク側のシグナリングまたは前記ネットワーク側との事前の取り決めに基づいて、前記ネットワーク側から指示された第１アップリンクサウンディング参照信号リソースを取得することを含む請求項７に記載の方法。
【請求項９】
前記ネットワーク側から指示された第２アップリンクサウンディング参照信号リソースを受信することは、
前記ネットワーク側のシグナリングまたは前記ネットワーク側との事前の取り決めに基づいて、前記ネットワーク側から指示されたＮ（０以上の整数）個の第２アップリンクサウンディング参照信号リソースを取得することを含む請求項７に記載の方法。
【請求項１０】
前記第２アップリンクサウンディング参照信号リソースと前記目標アップリンクサウンディング参照信号のＩＤに基づいて、チャネル測定用のアップリンクサウンディング参照信号を送信することは、
前記目標アップリンクサウンディング参照信号のＩＤのうちの各ＩＤとＮ個の前記第２アップリンクサウンディング参照信号リソースとの対応関係を特定することと、
前記対応関係に基づいて、前記Ｎ個の第２アップリンクサウンディング参照信号リソースから、前記目標アップリンクサウンディング参照信号のＩＤのうちの第１ＩＤに対応する１つまたは複数の第２目標アップリンクサウンディング参照信号リソースを選択することと、
前記第１ＩＤに対応するビーム方向で、前記１つまたは複数の第２目標アップリンクサウンディング参照信号リソースを送信することとを含む請求項７に記載の方法。
【請求項１１】
前記目標アップリンクサウンディング参照信号のＩＤのうちの各ＩＤとＮ個の前記第２アップリンクサウンディング参照信号リソースとの対応関係を特定することは、
前記ネットワーク側から送信された対応関係指示情報を受信し、前記対応関係指示情報に基づいて、前記目標アップリンクサウンディング参照信号のＩＤのうちの各ＩＤとＮ個の前記第２アップリンクサウンディング参照信号リソースとの対応関係を特定すること、または、
前記ネットワーク側との事前の取り決めに基づいて、前記目標アップリンクサウンディング参照信号のＩＤのうちの各ＩＤとＮ個の前記第２アップリンクサウンディング参照信号リソースとの対応関係を特定することを含む請求項１０に記載の方法。
【請求項１２】
アップリンクビームの走査に用いられる第１アップリンクサウンディング参照信号リソースを端末に指示する第１指示モジュールと、
前記端末から前記第１アップリンクサウンディング参照信号リソースで送信されたアップリンクサウンディング参照信号を受信する第１受信モジュールと、
前記端末から送信されたアップリンクサウンディング参照信号に基づいて目標アップリンクサウンディング参照信号を特定し、前記目標アップリンクサウンディング参照信号のＩＤを前記端末に送信する特定モジュールと、
前記端末が前記目標アップリンクサウンディング参照信号のＩＤと第２アップリンクサウンディング参照信号リソースに基づいてチャネル測定用のアップリンクサウンディング参照信号を送信するように、第２アップリンクサウンディング参照信号リソースを前記端末に指示する第２指示モジュールとを含む信号処理装置。
【請求項１３】
前記第１指示モジュールは、
Ｍ（０より大きい整数）個のアップリンクサウンディング参照信号リソースを含み、または、Ｍ個のポートを含む１つのアップリンクサウンディング参照信号リソースを含む第１アップリンクサウンディング参照信号リソースを、前記端末に対し構成する第１構成サブモジュールと、
前記第１アップリンクサウンディング参照信号リソースを、明示的シグナリングまたは暗示的シグナリングによって前記端末に指示する第１指示サブモジュールとを含む請求項１２に記載の装置。
【請求項１４】
前記特定モジュールは、
前記端末から送信されたアップリンクサウンディング参照信号に基づいて、信号品質が所定の要件を満たす１つまたは複数のアップリンクサウンディング参照信号を選択する選択サブモジュールと、
前記１つまたは複数のアップリンクサウンディング参照信号を前記目標アップリンクサウンディング参照信号とする特定サブモジュールとを含む請求項１２に記載の装置。
【請求項１５】
前記第２指示モジュールは、
Ｎ（０以上の整数）個の第２アップリンクサウンディング参照信号リソースを、前記端末に対し構成する第２構成サブモジュールと、
前記第２アップリンクサウンディング参照信号リソースを、明示的シグナリングまたは暗示的シグナリングによって前記端末に指示する第２指示サブモジュールとを含む請求項１２に記載の装置。
【請求項１６】
前記第２アップリンクサウンディング参照信号リソースと前記目標アップリンクサウンディング参照信号のＩＤとの対応関係を含む対応関係指示情報を前記端末に送信し、または、前記第２アップリンクサウンディング参照信号リソースと前記目標アップリンクサウンディング参照信号のＩＤとの対応関係を、前記端末と予め取り決める処理モジュールをさらに含む請求項１２に記載の装置。
【請求項１７】
前記端末から送信されたチャネル測定用のアップリンクサウンディング参照信号を受信し、前記チャネル測定用のアップリンクサウンディング参照信号に基づいてチャネル測定を行うチャネル測定モジュールをさらに含む請求項１２〜１６のいずれか一項に記載の装置。
【請求項１８】
ネットワーク側から指示されたアップリンクビーム走査用の第１アップリンクサウンディング参照信号リソースを取得する取得モジュールと、
前記第１アップリンクサウンディング参照信号リソースでアップリンクサウンディング参照信号を前記ネットワーク側に送信する送信モジュールと、
前記ネットワーク側から送信された目標アップリンクサウンディング参照信号のＩＤを受信する受信モジュールと、
前記ネットワーク側から指示された第２アップリンクサウンディング参照信号リソースを取得し、前記第２アップリンクサウンディング参照信号リソースと前記目標アップリンクサウンディング参照信号のＩＤに基づいて、チャネル測定用のアップリンクサウンディング参照信号を送信する処理モジュールとを含む信号処理装置。
【請求項１９】
前記取得モジュールは、具体的に、
前記ネットワーク側のシグナリングまたは前記ネットワーク側との事前の取り決めに基づいて、前記ネットワーク側から指示された第１アップリンクサウンディング参照信号リソースを取得する請求項１８に記載の装置。
【請求項２０】
前記処理モジュールは、
前記ネットワーク側から指示された第２アップリンクサウンディング参照信号リソースを取得する取得サブモジュールと、
前記第２アップリンクサウンディング参照信号リソースと前記目標アップリンクサウンディング参照信号のＩＤに基づいて、チャネル測定用のアップリンクサウンディング参照信号を送信する処理サブモジュールとを含む請求項１８に記載の装置。
【請求項２１】
前記取得サブモジュールは、具体的に、
前記ネットワーク側のシグナリングまたは前記ネットワーク側との事前の取り決めに基づいて、前記ネットワーク側から指示されたＮ（０以上の整数）個の第２アップリンクサウンディング参照信号リソースを取得する請求項２０に記載の装置。
【請求項２２】
前記処理サブモジュールは、
前記目標アップリンクサウンディング参照信号のＩＤのうちの各ＩＤとＮ個の前記第２アップリンクサウンディング参照信号リソースとの対応関係を特定する特定ユニットと、
前記対応関係に基づいて、前記Ｎ個の第２アップリンクサウンディング参照信号リソースから、前記目標アップリンクサウンディング参照信号のＩＤのうちの第１ＩＤに対応する１つまたは複数の第２目標アップリンクサウンディング参照信号リソースを選択する選択ユニットと、
前記第１ＩＤに対応するビーム方向で、前記１つまたは複数の第２目標アップリンクサウンディング参照信号リソースを送信する送信ユニットとを含む請求項２０に記載の装置。
【請求項２３】
前記特定ユニットは、具体的に、
前記ネットワーク側から送信された対応関係指示情報を受信し、前記対応関係指示情報に基づいて、前記目標アップリンクサウンディング参照信号のＩＤのうちの各ＩＤとＮ個の前記第２アップリンクサウンディング参照信号リソースとの対応関係を特定し、または、
前記ネットワーク側との事前の取り決めに基づいて、前記目標アップリンクサウンディング参照信号のＩＤのうちの各ＩＤとＮ個の前記第２アップリンクサウンディング参照信号リソースとの対応関係を特定する請求項２２に記載の装置。
【請求項２４】
メモリと、プロセッサと、データを送受信するトランシーバとを含む基地局において、
前記プロセッサは、メモリからプログラムを読み取ることによって、
アップリンクビームの走査に用いられる第１アップリンクサウンディング参照信号リソースを端末に指示するプロセスと、
前記端末から前記第１アップリンクサウンディング参照信号リソースで送信されたアップリンクサウンディング参照信号を受信するプロセスと、
前記端末から送信されたアップリンクサウンディング参照信号に基づいて目標アップリンクサウンディング参照信号を特定し、前記目標アップリンクサウンディング参照信号のＩＤを前記端末に送信するプロセスと、
前記端末が前記目標アップリンクサウンディング参照信号のＩＤと第２アップリンクサウンディング参照信号リソースに基づいてチャネル測定用のアップリンクサウンディング参照信号を送信するように、第２アップリンクサウンディング参照信号リソースを前記端末に指示するプロセスとを実行する基地局。
【請求項２５】
メモリと、プロセッサと、データを送受信するトランシーバとを含む端末において、
プロセッサは、メモリからプログラムを読み取ることによって、
ネットワーク側から指示されたアップリンクビーム走査用の第１アップリンクサウンディング参照信号リソースを取得するプロセスと、
前記第１アップリンクサウンディング参照信号リソースでアップリンクサウンディング参照信号を前記ネットワーク側に送信するプロセスと、
前記ネットワーク側から送信された目標アップリンクサウンディング参照信号のＩＤを受信するプロセスと、
前記ネットワーク側から指示された第２アップリンクサウンディング参照信号リソースを取得し、前記第２アップリンクサウンディング参照信号リソースと前記目標アップリンクサウンディング参照信号のＩＤに基づいて、チャネル測定用のアップリンクサウンディング参照信号を送信するプロセスとを実行する端末。
【発明の詳細な説明】
【技術分野】
【０００１】
本願は、２０１７年３月２２日に中国特許庁に提出された中国特許出願２０１７１０１７２８５４．１の優先権を主張し、その全ての内容が援用によりここに取り込まれる。
本開示は、通信技術分野に係り、特に信号処理方法および装置に係る。
【背景技術】
【０００２】
大規模のアンテナシステムにおいて、基地局および端末の送受信アンテナの数が非常に多いため、アンテナは、数が多く、その構造も多様である。
【０００３】
図１、２には、端末における２種類のアンテナ構造の実例が示されている。端末にある２つのアンテナモジュールの各々から独立なアナログビームをそれぞれ発生可能であり、かつ各アンテナモジュールは、複数のデジタルポートに対応する可能性もある。たとえば、各アンテナモジュールに２つのデジタルポートがマッピングされると、２つのアンテナモジュールには、計４つのデジタルポートがマッピングされる。アナログデジタル混合型アンテナは、アナログビームとデジタルビームを発生可能であるが、１つのアナログビームは、１つの時刻で１つの方向で送信されるしかないが、１つのアナログビームは、複数のデジタルビーム（またはデジタルポート）を含んでもよい。アンテナの数が多いため、発生されるビームが狭く、アナログビームが１つの時刻で１つの方向で送信されるしかない。したがって、セルのカバーを実現するには、端末は、異なるアナログビーム方向でアップリンクサウンディング参照信号をポーリングして送信する（すなわちビーム走査）必要がある。
【０００４】
ＬＴＥ（Ｌｏｎｇ  Ｔｅｒｍ  Ｅｖｏｌｕｔｉｏｎ）システムにおいて、アナログビームとデジタルビームが区別されないため、端末の能力に応じて、端末からアップリンクサウンディング参照信号を送信するポートを構成することができ、これらのポートがすべてデジタルポートである。しかし、ＮＲ（Ｎｅｗ  Ｒａｄｉｏ）システムにおいて、特に大規模アンテナの場合、アップリンクサウンディング参照信号の構成および送信方法が提案されておらず、端末とネットワーク側の通信に対しある程度で影響を及ぼす。
【発明の概要】
【発明が解決しようとする課題】
【０００５】
これに鑑み、本開示の実施例は、ＮＲシステムでアップリンクサウンディング参照信号の構成および送信を実現して端末とネットワーク側との正常な通信を保証するための信号処理方法、装置、コンピュータ読み取り可能な記憶媒体および電子機器を提供する。
【課題を解決するための手段】
【０００６】
上記の技術課題を解決するために、本開示の実施例は、信号処理方法を提供する。当該方法において、アップリンクビームの走査に用いられる第１アップリンクサウンディング参照信号リソースを端末に指示することと、前記端末から前記第１アップリンクサウンディング参照信号リソースで送信されたアップリンクサウンディング参照信号を受信することと、前記端末から送信されたアップリンクサウンディング参照信号に基づいて目標アップリンクサウンディング参照信号を特定し、前記目標アップリンクサウンディング参照信号のＩＤを前記端末に送信することと、第２アップリンクサウンディング参照信号リソースを前記端末に指示することとを含み、該第２アップリンクサウンディング参照信号リソースが、前記端末によって前記目標アップリンクサウンディング参照信号のＩＤと前記第２アップリンクサウンディング参照信号リソースに基づいてチャネル測定用のアップリンクサウンディング参照信号を送信することに用いられる。
【０００７】
一部の選択可能な実施例において、第１アップリンクサウンディング参照信号リソースを端末に指示することは、Ｍ（０より大きい整数）個のアップリンクサウンディング参照信号リソースを含み、または、Ｍ個のポートを含む１つのアップリンクサウンディング参照信号リソースを含む第１アップリンクサウンディング参照信号リソースを、前記端末に対し構成することと、前記第１アップリンクサウンディング参照信号リソースを、明示的シグナリングまたは暗示的シグナリングによって前記端末に指示することとを含む。
【０００８】
一部の選択可能な実施例において、前記端末から送信されたアップリンクサウンディング参照信号に基づいて目標アップリンクサウンディング参照信号を特定することは、前記端末から送信されたアップリンクサウンディング参照信号に基づいて、信号品質が所定の要件を満たす１つまたは複数のアップリンクサウンディング参照信号を選択することと、前記１つまたは複数のアップリンクサウンディング参照信号を前記目標アップリンクサウンディング参照信号とすることとを含む。
【０００９】
一部の選択可能な実施例において、第２アップリンクサウンディング参照信号リソースを前記端末に指示することは、Ｎ（０以上の整数）個の第２アップリンクサウンディング参照信号リソースを、前記端末に対し構成することと、前記第２アップリンクサウンディング参照信号リソースを、明示的シグナリングまたは暗示的シグナリングによって前記端末に指示することとを含む。
【００１０】
一部の選択可能な実施例の前記方法において、前記第２アップリンクサウンディング参照信号リソースと前記目標アップリンクサウンディング参照信号のＩＤとの対応関係を含む対応関係指示情報を前記端末に送信すること、または、前記第２アップリンクサウンディング参照信号リソースと前記目標アップリンクサウンディング参照信号のＩＤとの対応関係を、前記端末と予め取り決めることをさらに含む。
【００１１】
一部の選択可能な実施例の前記方法において、前記端末から送信されたチャネル測定用のアップリンクサウンディング参照信号を受信し、前記チャネル測定用のアップリンクサウンディング参照信号に基づいてチャネル測定を行うことをさらに含む。
【００１２】
第２の方面において、本開示の実施例は、信号処理方法を提供する。当該方法において、ネットワーク側から指示されたアップリンクビーム走査用の第１アップリンクサウンディング参照信号リソースを取得することと、前記第１アップリンクサウンディング参照信号リソースでアップリンクサウンディング参照信号を前記ネットワーク側に送信することと、前記ネットワーク側から送信された目標アップリンクサウンディング参照信号のＩＤを受信することと、前記ネットワーク側から指示された第２アップリンクサウンディング参照信号リソースを取得し、前記第２アップリンクサウンディング参照信号リソースと前記目標アップリンクサウンディング参照信号のＩＤに基づいて、チャネル測定用のアップリンクサウンディング参照信号を送信することとを含む。
【００１３】
一部の選択可能な実施例において、ネットワーク側から指示された第１アップリンクサウンディング参照信号リソースを取得することは、前記ネットワーク側のシグナリングまたは前記ネットワーク側との事前の取り決めに基づいて、前記ネットワーク側から指示された第１アップリンクサウンディング参照信号リソースを取得することを含む。
【００１４】
一部の選択可能な実施例において、前記ネットワーク側から指示された第２アップリンクサウンディング参照信号リソースを受信することは、前記ネットワーク側のシグナリングまたは前記ネットワーク側との事前の取り決めに基づいて、前記ネットワーク側から指示されたＮ（０以上の整数）個の第２アップリンクサウンディング参照信号リソースを取得することを含む。
【００１５】
一部の選択可能な実施例において、前記第２アップリンクサウンディング参照信号リソースと前記目標アップリンクサウンディング参照信号のＩＤに基づいて、チャネル測定用のアップリンクサウンディング参照信号を送信することは、前記目標アップリンクサウンディング参照信号のＩＤのうちの各ＩＤとＮ個の前記第２アップリンクサウンディング参照信号リソースとの対応関係を特定することと、前記対応関係に基づいて、前記Ｎ個の第２アップリンクサウンディング参照信号リソースから、前記目標アップリンクサウンディング参照信号のＩＤのうちの第１ＩＤに対応する１つまたは複数の第２目標アップリンクサウンディング参照信号リソースを選択することと、前記第１ＩＤに対応するビーム方向で、前記１つまたは複数の第２目標アップリンクサウンディング参照信号リソースを送信することとを含む。
【００１６】
一部の選択可能な実施例において、前記目標アップリンクサウンディング参照信号のＩＤのうちの各ＩＤとＮ個の前記第２アップリンクサウンディング参照信号リソースとの対応関係を特定することは、前記ネットワーク側から指示された対応関係指示情報を受信し、前記対応関係指示情報に基づいて、前記目標アップリンクサウンディング参照信号のＩＤのうちの各ＩＤとＮ個の前記第２アップリンクサウンディング参照信号リソースとの対応関係を特定すること、または、前記ネットワーク側との事前の取り決めに基づいて、前記目標アップリンクサウンディング参照信号のＩＤのうちの各ＩＤとＮ個の前記第２アップリンクサウンディング参照信号リソースとの対応関係を特定することを含む。
【００１７】
第３の方面において、本開示の実施例は、アップリンクビームの走査に用いられる第１アップリンクサウンディング参照信号リソースを端末に指示する第１指示モジュールと、前記端末から前記第１アップリンクサウンディング参照信号リソースで送信されたアップリンクサウンディング参照信号を受信する第１受信モジュールと、前記端末から送信されたアップリンクサウンディング参照信号に基づいて目標アップリンクサウンディング参照信号を特定し、前記目標アップリンクサウンディング参照信号のＩＤを前記端末に送信する特定モジュールと、第２アップリンクサウンディング参照信号リソースを前記端末に指示する第２指示モジュールとを含み、該第２アップリンクサウンディング参照信号リソースが、前記端末によって前記目標アップリンクサウンディング参照信号のＩＤと前記第２アップリンクサウンディング参照信号リソースに基づいてチャネル測定用のアップリンクサウンディング参照信号を送信することに用いられる信号処理装置を提供する。
【００１８】
一部の選択可能な実施例において、前記第１指示モジュールは、Ｍ（０より大きい整数）個のアップリンクサウンディング参照信号リソースを含み、または、Ｍ個のポートを含む１つのアップリンクサウンディング参照信号リソースを含む第１アップリンクサウンディング参照信号リソースを、前記端末に対し構成する第１構成サブモジュールと、前記第１アップリンクサウンディング参照信号リソースを、明示的シグナリングまたは暗示的シグナリングによって前記端末に指示する第１指示サブモジュールとを含む。
【００１９】
一部の選択可能な実施例において、前記特定モジュールは、前記端末から送信されたアップリンクサウンディング参照信号に基づいて、信号品質が所定の要件を満たす１つまたは複数のアップリンクサウンディング参照信号を選択する選択サブモジュールと、前記１つまたは複数のアップリンクサウンディング参照信号を前記目標アップリンクサウンディング参照信号とする特定サブモジュールとを含む。
【００２０】
一部の選択可能な実施例において、前記第２指示モジュールは、Ｎ（０以上の整数）個の第２アップリンクサウンディング参照信号リソースを、前記端末に対し構成する第２構成サブモジュールと、前記第２アップリンクサウンディング参照信号リソースを、明示的シグナリングまたは暗示的シグナリングによって前記端末に指示する第２指示サブモジュールとを含む。
【００２１】
一部の選択可能な実施例の前記装置は、前記第２アップリンクサウンディング参照信号リソースと前記目標アップリンクサウンディング参照信号のＩＤとの対応関係を含む対応関係指示情報を前記端末に送信し、または、前記第２アップリンクサウンディング参照信号リソースと前記目標アップリンクサウンディング参照信号のＩＤとの対応関係を、前記端末と予め取り決める処理モジュールをさらに含む。
【００２２】
一部の選択可能な実施例の前記装置は、前記端末から送信されたチャネル測定用のアップリンクサウンディング参照信号を受信し、前記チャネル測定用のアップリンクサウンディング参照信号に基づいてチャネル測定を行うチャネル測定モジュールをさらに含む。
【００２３】
第４の方面において、本開示の実施例は、ネットワーク側から指示されたアップリンクビーム走査用の第１アップリンクサウンディング参照信号リソースを取得する取得モジュールと、前記第１アップリンクサウンディング参照信号リソースでアップリンクサウンディング参照信号を前記ネットワーク側に送信する送信モジュールと、前記ネットワーク側から送信された目標アップリンクサウンディング参照信号のＩＤを受信する受信モジュールと、前記ネットワーク側から指示された第２アップリンクサウンディング参照信号リソースを取得し、前記第２アップリンクサウンディング参照信号リソースと前記目標アップリンクサウンディング参照信号のＩＤに基づいて、チャネル測定用のアップリンクサウンディング参照信号を送信する処理モジュールとを含む信号処理装置を提供する。
【００２４】
一部の選択可能な実施例において、前記取得モジュールは、具体的に、前記ネットワーク側のシグナリングまたは前記ネットワーク側との事前の取り決めに基づいて、前記ネットワーク側から指示された第１アップリンクサウンディング参照信号リソースを取得する。
【００２５】
一部の選択可能な実施例において、前記処理モジュールは、前記ネットワーク側から指示された第２アップリンクサウンディング参照信号リソースを取得する取得サブモジュールと、前記第２アップリンクサウンディング参照信号リソースと前記目標アップリンクサウンディング参照信号のＩＤに基づいて、チャネル測定用のアップリンクサウンディング参照信号を送信する処理サブモジュールとを含む。
【００２６】
一部の選択可能な実施例において、前記取得サブモジュールは、具体的に、前記ネットワーク側のシグナリングまたは前記ネットワーク側との事前の取り決めに基づいて、前記ネットワーク側から指示されたＮ（０以上の整数）個の第２アップリンクサウンディング参照信号リソースを取得する。
【００２７】
一部の選択可能な実施例において、前記処理サブモジュールは、前記目標アップリンクサウンディング参照信号のＩＤのうちの各ＩＤとＮ個の前記第２アップリンクサウンディング参照信号リソースとの対応関係を特定する特定ユニットと、前記対応関係に基づいて、前記Ｎ個の第２アップリンクサウンディング参照信号リソースから、前記目標アップリンクサウンディング参照信号のＩＤのうちの第１ＩＤに対応する１つまたは複数の第２目標アップリンクサウンディング参照信号リソースを選択する選択ユニットと、前記第１ＩＤに対応するビーム方向で、前記１つまたは複数の第２目標アップリンクサウンディング参照信号リソースを送信する送信ユニットとを含む。
【００２８】
一部の選択可能な実施例において、前記特定ユニットは、具体的に、前記ネットワーク側から指示された対応関係指示情報を受信し、前記対応関係指示情報に基づいて、前記目標アップリンクサウンディング参照信号のＩＤのうちの各ＩＤとＮ個の前記第２アップリンクサウンディング参照信号リソースとの対応関係を特定し、または、前記ネットワーク側との事前の取り決めに基づいて、前記目標アップリンクサウンディング参照信号のＩＤのうちの各ＩＤとＮ個の前記第２アップリンクサウンディング参照信号リソースとの対応関係を特定する。
【００２９】
第５の方面において、本開示の実施例は、ハウジングと、プロセッサと、メモリと、回路板と、電源回路を含む電子機器を提供する。ここで、回路板は、ハウジングで囲まれた空間の内部に設けられる。プロセッサとメモリは、回路板に設けられる。電源回路は、上記電子機器の各回路または素子に給電する。メモリは、実行可能なプログラムコードを記憶する。プロセッサは、メモリに記憶されている実行可能なプログラムコードを読み取り、実行可能なプログラムコードに対応するプログラムを実行することにより、上記の信号処理方法を実行する。
【００３０】
第６の方面において、本開示の実施例は、コンピュータプログラムが記憶されているコンピュータ読み取り可能な記憶媒体を提供し、ここで、前記コンピュータプログラムがプロセッサによって実行されることにより、上記の信号処理方法が実現される。
【００３１】
第７の方面において、本開示の実施例は、メモリと、プロセッサと、データを送受信するトランシーバとを含む基地局を提供する。ここで、前記プロセッサは、メモリからプログラムを読み取ることによって、アップリンクビームの走査に用いられる第１アップリンクサウンディング参照信号リソースを端末に指示するプロセスと、前記端末から前記第１アップリンクサウンディング参照信号リソースで送信されたアップリンクサウンディング参照信号を受信するプロセスと、前記端末から送信されたアップリンクサウンディング参照信号に基づいて目標アップリンクサウンディング参照信号を特定し、前記目標アップリンクサウンディング参照信号のＩＤを前記端末に送信するプロセスと、第２アップリンクサウンディング参照信号リソースを前記端末に指示するプロセスとを実行し、該第２アップリンクサウンディング参照信号リソースが、前記端末によって前記目標アップリンクサウンディング参照信号のＩＤと前記第２アップリンクサウンディング参照信号リソースに基づいてチャネル測定用のアップリンクサウンディング参照信号を送信することに用いられる。
【００３２】
第８の方面において、本開示の実施例は、メモリと、プロセッサと、データを送受信するトランシーバとを含む端末を提供する。ここで、プロセッサは、メモリからプログラムを読み取ることによって、ネットワーク側から指示されたアップリンクビーム走査用の第１アップリンクサウンディング参照信号リソースを取得するプロセスと、前記第１アップリンクサウンディング参照信号リソースでアップリンクサウンディング参照信号を前記ネットワーク側に送信するプロセスと、前記ネットワーク側から送信された目標アップリンクサウンディング参照信号のＩＤを受信するプロセスと、前記ネットワーク側から指示された第２アップリンクサウンディング参照信号リソースを取得し、前記第２アップリンクサウンディング参照信号リソースと前記目標アップリンクサウンディング参照信号のＩＤに基づいて、チャネル測定用のアップリンクサウンディング参照信号を送信するプロセスとを実行する。
【発明の効果】
【００３３】
本開示の実施例において、アップリンクビーム走査用の第１アップリンクサウンディング参照信号リソースとチャネル測定用の第２アップリンクサウンディング参照信号リソースを端末に指示することによって、端末からアップリンクサウンディング参照信号を送信可能にしてチャネルの測定を行うことによって、端末とネットワーク側の正常な通信を保証する。
【図面の簡単な説明】
【００３４】
【図１】図１（ａ）と図１（ｂ）は、関連技術における端末のアンテナ構造の模式図である。
【図２】本開示の実施例における信号処理方法のフローチャートである。
【図３】本開示の実施例における信号処理方法のフローチャートである。
【図４】本開示の実施例における信号処理方法のフローチャートである。
【図５】本開示の実施例における信号処理装置の模式図である。
【図６】本開示の実施例における信号処理装置の構造図である。
【図７】本開示の実施例における信号処理装置の他の模式図である。
【図８】本開示の実施例における基地局の模式図である。
【図９】本開示の実施例における端末の模式図である。
【発明を実施するための形態】
【００３５】
以下、添付図面および実施例を通じて本開示の具体的な実施形態をさらに詳細に記載する。以下の実施例は、本開示を説明することに用いられるが、本開示の範囲を制限するためのものではない。
【００３６】
図２に示すように、本開示の実施例の信号処理方法は、基地局などのネットワーク側機器に応用される。当該方法において、アップリンクビームの走査に用いられる第１アップリンクサウンディング参照信号リソースを端末に指示するステップ１０１を含む。
【００３７】
このステップにおいて、ネットワーク側機器は、第１アップリンクサウンディング参照信号リソースを前記端末に対し構成することができる。ここで、前記第１アップリンクサウンディング参照信号リソースは、Ｍ（０より大きい整数）個のアップリンクサウンディング参照信号リソースを含む。または、前記第１アップリンクサウンディング参照信号リソースは、１つのアップリンクサウンディング参照信号リソースを含む。ここで、前記１つのアップリンクサウンディング参照信号リソースは、Ｍ個のポートを含む。第１アップリンクサウンディング参照信号リソースを構成した後に、前記第１アップリンクサウンディング参照信号リソースを、明示的シグナリングまたは暗示的シグナリングによって前記端末に指示する。
【００３８】
ステップ１０２において、前記端末から前記第１アップリンクサウンディング参照信号リソースで送信されたアップリンクサウンディング参照信号を受信する。
【００３９】
具体的に、端末からＭ個のアップリンクビーム方向でそれぞれ送信されるアップリンクサウンディング参照信号（ＳＲＳ）を受信する。
【００４０】
ステップ１０３において、前記端末から送信されたアップリンクサウンディング参照信号に基づいて目標アップリンクサウンディング参照信号を特定し、前記目標アップリンクサウンディング参照信号のＩＤを前記端末に送信する。
【００４１】
このステップにおいて、各アップリンクサウンディング参照信号の信号品質をそれぞれ算出し、それから信号品質が所定の要件を満たす１つまたは複数のアップリンクサウンディング参照信号を選択して前記目標アップリンクサウンディング参照信号とする。
【００４２】
ステップ１０４において、第２アップリンクサウンディング参照信号リソースを前記端末に指示する。該第２アップリンクサウンディング参照信号リソースが、前記端末によって前記目標アップリンクサウンディング参照信号のＩＤと前記第２アップリンクサウンディング参照信号リソースに基づいてチャネル測定用のアップリンクサウンディング参照信号を送信することに用いられる。
【００４３】
このステップにおいて、Ｎ（０以上の整数）個の第２アップリンクサウンディング参照信号リソースを、前記端末に対し構成する。第２アップリンクサウンディング参照信号リソースを構成した後に、前記第２アップリンクサウンディング参照信号リソースを、明示的シグナリングまたは暗示的シグナリングによって前記端末に指示する。
【００４４】
本開示の実施例において、アップリンクビーム走査用の第１アップリンクサウンディング参照信号リソースとチャネル測定用の第２アップリンクサウンディング参照信号リソースを端末に指示することによって、端末からアップリンクサウンディング参照信号を送信可能にしてチャネルの測定を行うことによって、端末とネットワーク側の正常な通信を保証する。
【００４５】
図３に示すように、端末に応用される本開示の実施例の信号処理方法は、以下のステップ２０１〜２０４を含む。
【００４６】
ステップ２０１において、ネットワーク側から指示されたアップリンクビーム走査用の第１アップリンクサウンディング参照信号リソースを取得する。
【００４７】
本開示の実施例において、前記ネットワーク側のシグナリングまたは前記ネットワーク側との事前の取り決めに基づいて、前記ネットワーク側から指示された第１アップリンクサウンディング参照信号リソースを取得する。
【００４８】
ステップ２０２において、前記第１アップリンクサウンディング参照信号リソースでアップリンクサウンディング参照信号を前記ネットワーク側に送信する。
【００４９】
ステップ２０３において、前記ネットワーク側から送信された目標アップリンクサウンディング参照信号のＩＤを受信する。
【００５０】
ステップ２０４において、前記ネットワーク側から指示された第２アップリンクサウンディング参照信号リソースを取得し、前記第２アップリンクサウンディング参照信号リソースと前記目標アップリンクサウンディング参照信号のＩＤに基づいて、チャネル測定用のアップリンクサウンディング参照信号を送信する。
【００５１】
本開示の実施例において、前記ネットワーク側のシグナリングまたは前記ネットワーク側との事前の取り決めに基づいて、前記ネットワーク側から指示されたＮ（０以上の整数）個の第２アップリンクサウンディング参照信号リソースを取得する。
【００５２】
具体的に、チャネル測定用のアップリンクサウンディング参照信号を送信する際に、ネットワーク側からの指示またはネットワーク側との事前の取り決めに基づいて、前記目標アップリンクサウンディング参照信号のＩＤのうちの各ＩＤとＮ個の前記第２アップリンクサウンディング参照信号リソースとの対応関係を特定する。前記対応関係に基づいて、前記Ｎ個の第２アップリンクサウンディング参照信号リソースから、前記目標アップリンクサウンディング参照信号のＩＤのうちの第１ＩＤに対応する１つまたは複数の第２目標アップリンクサウンディング参照信号リソースを選択する。前記第１ＩＤに対応するビーム方向で、前記１つまたは複数の第２目標アップリンクサウンディング参照信号リソースを送信する。ここで、当該第１ＩＤは、いずれか１つのＩＤである。
【００５３】
本開示の実施例において、アップリンクビーム走査用の第１アップリンクサウンディング参照信号リソースとチャネル測定用の第２アップリンクサウンディング参照信号リソースを端末に指示することによって、端末からアップリンクサウンディング参照信号を送信可能にしてチャネルの測定を行うことによって、端末とネットワーク側の正常な通信を保証する。
【００５４】
本開示の実施例において、基地局から端末に対し２レベルのアップリンクサウンディング参照信号（ＳＲＳ）を構成する。第１レベルのアップリンクサウンディング参照信号（ＳＲＳ）は、異なるアナログビームでアップリンクサウンディング参照信号（ＳＲＳ）を送信することを端末に指示する。第２レベルのアップリンクサウンディング参照信号（ＳＲＳ）は、アナログビームの特定後にチャネル情報を取得することを端末に指示し、すなわちチャネル測定に用いられる。以下、基地局によるアップリンクサウンディング参照信号（ＳＲＳ）の構成および端末の送信を具体的に記載する。
【００５５】
図４に示すように、本開示の実施例の信号処理方法は、以下のステップ３０１〜３０５を含む。
【００５６】
ステップ３０１において、基地局は、Ｍ個のアップリンクサウンディング参照信号（ＳＲＳ）リソースまたは１つのアップリンクサウンディング参照信号リソースを端末に対し構成する。当該１つのアップリンクサウンディング参照信号は、Ｍ個のポートを含み、アップリンクビームの走査に用いられる。
【００５７】
基地局は、構成した後に、当該アップリンクサウンディング参照信号（ＳＲＳ）がアップリンクビームの走査に用いられることを、明示的シグナリングまたは暗示的シグナリングによって端末に指示する。ここで、Ｍ個のアップリンクサウンディング参照信号（ＳＲＳ）リソースまたは１つのアップリンクサウンディング参照信号リソースのＭ個のポートは、Ｍ個のアップリンクビーム方向に対応する。
【００５８】
ステップ３０２において、端末は、Ｍ個のアップリンクビーム方向でそれぞれアップリンクサウンディング参照信号（ＳＲＳ）を送信する。
【００５９】
それに応じて、基地局は、端末からＭ個のアップリンクビーム方向で送信されるＭ個のアップリンクサウンディング参照信号（ＳＲＳ）リソース、または、Ｍ個のポートを含む１つのアップリンクサウンディング参照信号を受信する。
【００６０】
ステップ３０３において、基地局は、信号品質に基づいて、信号品質が所定の要件を満たす１つまたは複数のアップリンクサウンディング参照信号を選択し、対応する１つまたは複数のアップリンクサウンディング参照信号のＩＤ（ＳＲＩ）を端末に指示する。
【００６１】
たとえば、基地局は、信号品質が優れる１つまたは複数のアップリンクサウンディング参照信号を選択する。
【００６２】
ステップ３０４において、基地局は、チャネル測定用のＮ（０以上の整数）個のアップリンクサウンディング参照信号（ＳＲＳ）リソースを構成して端末に指示する。
【００６３】
ステップ３０５において、端末は、１つまたは複数のアップリンクサウンディング参照信号のＩＤとチャネル測定用のＮ個のアップリンクサウンディング参照信号リソースに基づいて、チャネル測定用のアップリンクサウンディング参照信号を送信する。
【００６４】
本開示の実施例において、１つまたは複数のアップリンクサウンディング参照信号のＩＤとチャネル測定用のＮ個のアップリンクサウンディング参照信号リソースとの対応関係は、ネットワーク側からシグナリング方式で端末に指示されてもよく、ネットワーク側と端末によって予め取り決められてもよい。当該対応関係は、ネットワーク側から指示された場合、端末が、ネットワーク側の指示に基づいて、チャネル測定用のアップリンクサウンディング参照信号をどのように送信するかを特定するが、ネットワーク側と予め取り決められた場合、端末が、事前の取り決めに基づいて、チャネル測定用のアップリンクサウンディング参照信号をどのように送信するかを特定する。ここで、当該対応関係は、一対一、一対多、多対一、多対多などの形式である。
【００６５】
このステップにおいて、ステップ３０４と３０５で基地局から送信された情報に基づいて、端末は、以下の方式で送信する。
【００６６】
基地局が、１つのアップリンクサウンディング参照信号のＩＤ（ＳＲＩ）と、対応するチャネル測定用の１つのアップリンクサウンディング参照信号（ＳＲＳ）リソースを指示した場合、端末は、当該アップリンクサウンディング参照信号のＩＤ（ＳＲＩ）に対応するビーム方向で、チャネル測定用のアップリンクサウンディング参照信号（ＳＲＳ）を送信する。
【００６７】
基地局が、チャネル測定用のアップリンクサウンディング参照信号（ＳＲＳ）を構成しなかった場合（Ｎ＝０）、端末は、チャネル測定用のアップリンクサウンディング参照信号（ＳＲＳ）を送信しない。
【００６８】
基地局が、複数のアップリンクサウンディング参照信号のＩＤ（ＳＲＩ）を指示した場合、基地局による、チャネル測定用のアップリンクサウンディング参照信号（ＳＲＳ）リソースの構成および端末による、チャネル測定用のアップリンクサウンディング参照信号（ＳＲＳ）の送信は、以下の複数のケースに分けられる。
【００６９】
（１）基地局は、Ｎ個のアップリンクサウンディング参照信号のＩＤ（ＳＲＩ）と、Ｐ個のチャネル測定用のアップリンクサウンディング参照信号（ＳＲＳ）リソースを指示し（Ｎ≠Ｐ）、かつ、どんなアップリンクサウンディング参照信号（ＳＲＳ）リソースを端末から同時に送信できるか、すなわちどんなアップリンクサウンディング参照信号のＩＤ（ＳＲＩ）に対応するアップリンクビームを端末から同時に送信できるかを、明示的なシグナリングによって端末に指示する（すなわち、Ｎ個のアップリンクサウンディング参照信号のＩＤと、Ｐ個のチャネル測定用のアップリンクサウンディング参照信号リソースの対応関係を指示する）。
この場合、端末は、どんなアップリンクサウンディング参照信号のＩＤに対応するアップリンクサウンディング参照信号を同時に送信できるかを、当該明示的なシグナリングによって特定し、当該ＩＤに対応するビーム方向で、対応するアップリンクサウンディング参照信号を送信する。
【００７０】
（２）基地局は、Ｎ個のアップリンクサウンディング参照信号のＩＤ（ＳＲＩ）と、１つのチャネル測定用のアップリンクサウンディング参照信号（ＳＲＳ）リソースを指示する。すなわち、Ｎ個のアップリンクサウンディング参照信号のＩＤ（ＳＲＩ）に対応するビームを同時に送信することができる。
この場合、端末は、事前の取り決めに基づいて、Ｎ個のアップリンクサウンディング参照信号のＩＤに対応するビーム方向で、アップリンクサウンディング参照信号を同時に送信する。
【００７１】
（３）基地局は、Ｎ個のアップリンクサウンディング参照信号のＩＤ（ＳＲＩ）と、対応するＮ個のチャネル測定用のアップリンクサウンディング参照信号（ＳＲＳ）リソースを指示し、チャネル測定用の任意のアップリンクサウンディング参照信号（ＳＲＳ）リソースの同時送信ができないことを暗に意味し、すなわち、任意のアップリンクサウンディング参照信号のＩＤ（ＳＲＩ）に対応するビームの同時送信ができない。
この場合、端末は、各アップリンクサウンディング参照信号のＩＤに対応するチャネル測定用のアップリンクサウンディング参照信号を特定し、対応するビーム方向で、対応するアップリンクサウンディング参照信号を送信する。
【００７２】
たとえば、基地局は、２つのＳＲＩを指示し、かつ１つのチャネル測定用のアップリンクサウンディング参照信号（ＳＲＳ）リソースを構成する。端末は、基地局との事前の取り決めに基づいて、２つのＳＲＩに対応するビーム方向でアップリンクサウンディング参照信号を同時に送信し、チャネル測定用のアップリンクサウンディング参照信号（ＳＲＳ）リソースの複数のポートを、２つのビーム方向にマッピングする。
【００７３】
また、たとえば、基地局は、２つのＳＲＩを指示し、かつ１つのチャネル測定用のアップリンクサウンディング参照信号（ＳＲＳ）リソースを構成し、ＳＲＩとチャネル測定用のアップリンクサウンディング参照信号（ＳＲＳ）リソースとの対応関係をシグナリングで通知する（たとえば、ＳＲＩ  １は、チャネル測定用のアップリンクサウンディング参照信号リソースに対応する）。端末は、シグナリングの指示に基づいて、１つのＳＲＩ（たとえばＳＲＩ  １）を選択し、当該ＳＲＩに対応するビーム方向で、チャネル測定用のアップリンクサウンディング参照信号（ＳＲＳ）を送信する。
【００７４】
また、たとえば、基地局は、２つのＳＲＩを指示し、かつ２つのチャネル測定用のアップリンクサウンディング参照信号（ＳＲＳ）リソースを構成し、ＳＲＩとチャネル測定用のアップリンクサウンディング参照信号（ＳＲＳ）リソースとの対応関係をシグナリングで通知する（たとえば、ＳＲＩ  １、ＳＲＩ  ２は、それぞれ１つのチャネル測定用のアップリンクサウンディング参照信号リソースに対応する）。端末は、シグナリングの指示に基づいて、１つの時刻で１つのＳＲＩを選択し、当該ＳＲＩに対応するビーム方向で、対応するチャネル測定用のアップリンクサウンディング参照信号（ＳＲＳ）を送信する。
【００７５】
また、たとえば、基地局は、２つのＳＲＩを指示し、かつ２つのチャネル測定用のアップリンクサウンディング参照信号（ＳＲＳ）リソースを構成する。端末は、基地局との事前の取り決めに基づいて、１つの時刻で１つのＳＲＩを選択し、当該ＳＲＩに対応するビーム方向で、対応するチャネル測定用のアップリンクサウンディング参照信号（ＳＲＳ）を送信する。
【００７６】
また、たとえば、基地局は、３つのＳＲＩを指示し、かつ２つのチャネル測定用のアップリンクサウンディング参照信号（ＳＲＳ）リソースを構成し、ＳＲＩ  １とＳＲＩ  ２が１つ目のチャネル測定用のアップリンクサウンディング参照信号に対応し、ＳＲＩ  ３が２つ目のチャネル測定用のアップリンクサウンディング参照信号に対応することを、シグナリングによって指示する。端末は、１つの時刻でＳＲＩ  １とＳＲＩ  ２に対応する２つのビームを同時に送信可能であるが、ＳＲＩ  ３に対応するビームを同時に送信できない。すなわち、端末は、ＳＲＩ  １とＳＲＩ  ２に対応するビーム方向で、１つ目のチャネル測定用のアップリンクサウンディング参照信号を同時に送信し、ＳＲＩ  ３に対応するビーム方向で、２つ目のチャネル測定用のアップリンクサウンディング参照信号を送信する。
【００７７】
図５に示すように、本開示の実施例の信号処理装置は、アップリンクビームの走査に用いられる第１アップリンクサウンディング参照信号リソースを端末に指示する第１指示モジュール４０１と、前記端末から前記第１アップリンクサウンディング参照信号リソースで送信されたアップリンクサウンディング参照信号を受信する第１受信モジュール４０２と、前記端末から送信されたアップリンクサウンディング参照信号に基づいて目標アップリンクサウンディング参照信号を特定し、前記目標アップリンクサウンディング参照信号のＩＤを前記端末に送信する特定モジュール４０３と、前記端末が前記目標アップリンクサウンディング参照信号のＩＤと第２アップリンクサウンディング参照信号リソースに基づいてチャネル測定用のアップリンクサウンディング参照信号を送信するように、第２アップリンクサウンディング参照信号リソースを前記端末に指示する第２指示モジュール４０４とを含む。
【００７８】
ここで、前記第１指示モジュール４０１は、Ｍ（０より大きい整数）個のアップリンクサウンディング参照信号リソースを含み、または、Ｍ個のポートを含む１つのアップリンクサウンディング参照信号リソースを含む第１アップリンクサウンディング参照信号リソースを、前記端末に対し構成する第１構成サブモジュールと、前記第１アップリンクサウンディング参照信号リソースを、明示的シグナリングまたは暗示的シグナリングによって前記端末に指示する第１指示サブモジュールとを含む。
【００７９】
ここで、前記特定モジュール４０３は、前記端末から送信されたアップリンクサウンディング参照信号に基づいて、信号品質が所定の要件を満たす１つまたは複数のアップリンクサウンディング参照信号を選択する選択サブモジュールと、前記１つまたは複数のアップリンクサウンディング参照信号を前記目標アップリンクサウンディング参照信号とする特定サブモジュールとを含む。
【００８０】
ここで、前記第２指示モジュール４０４は、Ｎ（０以上の整数）個の第２アップリンクサウンディング参照信号リソースを、前記端末に対し構成する第２構成サブモジュールと、前記第２アップリンクサウンディング参照信号リソースを、明示的シグナリングまたは暗示的シグナリングによって前記端末に指示する第２指示サブモジュールとを含む。
【００８１】
図６に示すように、前記装置は、前記第２アップリンクサウンディング参照信号リソースと前記目標アップリンクサウンディング参照信号のＩＤとの対応関係を含む対応関係指示情報を前記端末に送信し、または、前記第２アップリンクサウンディング参照信号リソースと前記目標アップリンクサウンディング参照信号のＩＤとの対応関係を、前記端末と予め取り決める処理モジュール４０５をさらに含む。前記装置は、前記端末から送信されたチャネル測定用のアップリンクサウンディング参照信号を受信し、前記チャネル測定用のアップリンクサウンディング参照信号に基づいてチャネル測定を行うチャネル測定モジュール４０６をさらに含む。
【００８２】
本開示に記載の装置の動作原理は、前記の方法実施例の記載を参照されたく、かつ前記装置が端末に位置することができる。
【００８３】
本開示の実施例において、アップリンクビーム走査用の第１アップリンクサウンディング参照信号リソースとチャネル測定用の第２アップリンクサウンディング参照信号リソースを端末に指示することによって、端末からアップリンクサウンディング参照信号を送信可能にしてチャネルの測定を行うことによって、端末とネットワーク側の正常な通信を保証する。
【００８４】
図７に示すように、本開示の実施例の信号処理装置は、ネットワーク側から指示されたアップリンクビーム走査用の第１アップリンクサウンディング参照信号リソースを取得する取得モジュール６０１と、前記第１アップリンクサウンディング参照信号リソースでアップリンクサウンディング参照信号を前記ネットワーク側に送信する送信モジュール６０２と、前記ネットワーク側から送信された目標アップリンクサウンディング参照信号のＩＤを受信する受信モジュール６０３と、前記ネットワーク側から指示された第２アップリンクサウンディング参照信号リソースを取得し、前記第２アップリンクサウンディング参照信号リソースと前記目標アップリンクサウンディング参照信号のＩＤに基づいて、チャネル測定用のアップリンクサウンディング参照信号を送信する処理モジュール６０４とを含む。
【００８５】
ここで、前記取得モジュール６０１は、具体的に、前記ネットワーク側のシグナリングまたは前記ネットワーク側との事前の取り決めに基づいて、前記ネットワーク側から指示された第１アップリンクサウンディング参照信号リソースを取得する。
【００８６】
ここで、前記処理モジュール６０４は、前記ネットワーク側から指示された第２アップリンクサウンディング参照信号リソースを取得する取得サブモジュールと、前記第２アップリンクサウンディング参照信号リソースと前記目標アップリンクサウンディング参照信号のＩＤに基づいて、チャネル測定用のアップリンクサウンディング参照信号を送信する処理サブモジュールとを含む。
【００８７】
前記取得サブモジュールは、具体的に、前記ネットワーク側のシグナリングまたは前記ネットワーク側との事前の取り決めに基づいて、前記ネットワーク側から指示されたＮ（０以上の整数）個の第２アップリンクサウンディング参照信号リソースを取得する。
【００８８】
ここで、前記処理サブモジュールは、前記目標アップリンクサウンディング参照信号のＩＤのうちの各ＩＤとＮ個の前記第２アップリンクサウンディング参照信号リソースとの対応関係を特定する特定ユニットと、前記対応関係に基づいて、前記Ｎ個の第２アップリンクサウンディング参照信号リソースから、前記目標アップリンクサウンディング参照信号のＩＤのうちの第１ＩＤに対応する１つまたは複数の第２目標アップリンクサウンディング参照信号リソースを選択する選択ユニットと、前記第１ＩＤに対応するビーム方向で、前記１つまたは複数の第２目標アップリンクサウンディング参照信号リソースを送信する送信ユニットとを含む。
【００８９】
ここで、前記特定ユニットは、具体的に、前記ネットワーク側から送信された対応関係指示情報を受信し、前記対応関係指示情報に基づいて、前記目標アップリンクサウンディング参照信号のＩＤのうちの各ＩＤとＮ個の前記第２アップリンクサウンディング参照信号リソースとの対応関係を特定し、または、前記ネットワーク側との事前の取り決めに基づいて、前記目標アップリンクサウンディング参照信号のＩＤのうちの各ＩＤとＮ個の前記第２アップリンクサウンディング参照信号リソースとの対応関係を特定する。
【００９０】
本開示に記載の装置の動作原理は、前記の方法実施例の記載を参照されたく、かつ前記装置が端末に位置することができる。
【００９１】
本開示の実施例において、アップリンクビーム走査用の第１アップリンクサウンディング参照信号リソースとチャネル測定用の第２アップリンクサウンディング参照信号リソースを端末に指示することによって、端末からアップリンクサウンディング参照信号を送信可能にしてチャネルの測定を行うことによって、端末とネットワーク側の正常な通信を保証する。
【００９２】
本開示の実施例は、プロセッサと、バスインタフェースを介して前記プロセッサに接続されるメモリを含む信号処理装置を提供する。前記メモリは、前記プロセッサによる操作実行に用いられるプログラムおよびデータを記憶する。プロセッサは、前記メモリに記憶されているプログラムおよびデータを呼び出して実行すると、以下の機能的なモジュールまたはユニットが実現される。
第１指示モジュールは、アップリンクビームの走査に用いられる第１アップリンクサウンディング参照信号リソースを端末に指示する。
第１受信モジュールは、前記端末から前記第１アップリンクサウンディング参照信号リソースで送信されたアップリンクサウンディング参照信号を受信する。
特定モジュールは、前記端末から送信されたアップリンクサウンディング参照信号に基づいて目標アップリンクサウンディング参照信号を特定し、前記目標アップリンクサウンディング参照信号のＩＤを前記端末に送信する。
第２指示モジュールは、前記端末が前記目標アップリンクサウンディング参照信号のＩＤと第２アップリンクサウンディング参照信号リソースに基づいてチャネル測定用のアップリンクサウンディング参照信号を送信するように、第２アップリンクサウンディング参照信号リソースを前記端末に指示する。
【００９３】
本開示の実施例は、プロセッサと、バスインタフェースを介して前記プロセッサに接続されるメモリを含む信号処理装置を提供する。前記メモリは、前記プロセッサによる操作実行に用いられるプログラムおよびデータを記憶する。プロセッサは、前記メモリに記憶されているプログラムおよびデータを呼び出して実行すると、以下の機能的なモジュールまたはユニットが実現される。
取得モジュールは、ネットワーク側から指示されたアップリンクビーム走査用の第１アップリンクサウンディング参照信号リソースを取得する。
送信モジュールは、前記第１アップリンクサウンディング参照信号リソースでアップリンクサウンディング参照信号を前記ネットワーク側に送信する。
受信モジュールは、前記ネットワーク側から送信された目標アップリンクサウンディング参照信号のＩＤを受信する。
処理モジュールは、前記ネットワーク側から指示された第２アップリンクサウンディング参照信号リソースを取得し、前記第２アップリンクサウンディング参照信号リソースと前記目標アップリンクサウンディング参照信号のＩＤに基づいて、チャネル測定用のアップリンクサウンディング参照信号を送信する。
【００９４】
図８に示すように、本開示の実施例は、メモリ７２０と、プロセッサ７００と、プロセッサ７００による制御でデータを送受信するトランシーバ７１０とを含む基地局を提供する。ここで、プロセッサ７００は、メモリ７２０からプログラムを読み取ることによって、アップリンクビームの走査に用いられる第１アップリンクサウンディング参照信号リソースを端末に指示するプロセスと、前記端末から前記第１アップリンクサウンディング参照信号リソースで送信されたアップリンクサウンディング参照信号を受信するプロセスと、前記端末から送信されたアップリンクサウンディング参照信号に基づいて目標アップリンクサウンディング参照信号を特定し、前記目標アップリンクサウンディング参照信号のＩＤを前記端末に送信するプロセスと、前記端末が前記目標アップリンクサウンディング参照信号のＩＤと第２アップリンクサウンディング参照信号リソースに基づいてチャネル測定用のアップリンクサウンディング参照信号を送信するように、第２アップリンクサウンディング参照信号リソースを前記端末に指示するプロセスとを実行する。
【００９５】
ここで、図７において、バスアーキテクチャは、任意数の相互接続するバスとブリッジを含み、具体的に、プロセッサ７００をはじめとする１つ又は複数のプロセッサとメモリ７２０をはじめとするメモリの各種類の回路が接続したものである。バスアーキテクチャは、周辺デバイス、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ７１０は、複数の部品であってもよく、即ち送信機と受信機を含み、伝送媒体でほかの各種類の装置と通信するユニットとして提供される。プロセッサ７００は、バスアーキテクチャと通常の処理を管理する。メモリ７２０は、プロセッサ７００による操作実行に使用されるデータを記憶できる。
【００９６】
プロセッサ７００は、バスアーキテクチャと通常の処理を管理する。メモリ７２０は、プロセッサ７００による操作実行に使用されるデータを記憶できる。
【００９７】
プロセッサ７００は、さらに、Ｍ（０より大きい整数）個のアップリンクサウンディング参照信号リソースを含み、または、Ｍ個のポートを含む１つのアップリンクサウンディング参照信号リソースを含む第１アップリンクサウンディング参照信号リソースを、前記端末に対し構成し、前記第１アップリンクサウンディング参照信号リソースを、明示的シグナリングまたは暗示的シグナリングによって前記端末に指示する。
【００９８】
プロセッサ７００は、さらに、前記端末から送信されたアップリンクサウンディング参照信号に基づいて、信号品質が所定の要件を満たす１つまたは複数のアップリンクサウンディング参照信号を選択し、前記１つまたは複数のアップリンクサウンディング参照信号を前記目標アップリンクサウンディング参照信号とする。
【００９９】
プロセッサ７００は、さらに、Ｎ（０以上の整数）個の第２アップリンクサウンディング参照信号リソースを、前記端末に対し構成し、前記第２アップリンクサウンディング参照信号リソースを、明示的シグナリングまたは暗示的シグナリングによって前記端末に指示する。
【０１００】
プロセッサ７００は、さらに、前記第２アップリンクサウンディング参照信号リソースと前記目標アップリンクサウンディング参照信号のＩＤとの対応関係を前記端末に送信する。
【０１０１】
プロセッサ７００は、さらに、前記端末から送信されたチャネル測定用のアップリンクサウンディング参照信号を受信し、前記チャネル測定用のアップリンクサウンディング参照信号に基づいてチャネル測定を行う。
【０１０２】
本開示の実施例において、アップリンクビーム走査用の第１アップリンクサウンディング参照信号リソースとチャネル測定用の第２アップリンクサウンディング参照信号リソースを端末に指示することによって、端末からアップリンクサウンディング参照信号を送信可能にしてチャネルの測定を行うことによって、端末とネットワーク側の正常な通信を保証する。
【０１０３】
図９に示すように、本開示の実施例の端末は、プロセッサ８００と、プロセッサ８００による制御でデータを送受信するトランシーバ８１０を含む。プロセッサ８００は、メモリ８２０からプログラムを読み取ることによって、ネットワーク側から指示されたアップリンクビーム走査用の第１アップリンクサウンディング参照信号リソースを取得するプロセスと、前記第１アップリンクサウンディング参照信号リソースでアップリンクサウンディング参照信号を前記ネットワーク側に送信するプロセスと、前記ネットワーク側から送信された目標アップリンクサウンディング参照信号のＩＤを受信するプロセスと、前記ネットワーク側から指示された第２アップリンクサウンディング参照信号リソースを取得し、前記第２アップリンクサウンディング参照信号リソースと前記目標アップリンクサウンディング参照信号のＩＤに基づいて、チャネル測定用のアップリンクサウンディング参照信号を送信するプロセスとを実行する。
【０１０４】
ここで、図８において、バスアーキテクチャは、任意数の相互接続するバスとブリッジを含み、具体的に、プロセッサ８００をはじめとする１つ又は複数のプロセッサとメモリ８２０をはじめとするメモリの各種類の回路が接続したものである。バスアーキテクチャは、周辺デバイス、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ８１０は、複数の部品であってもよく、即ち送信機と受信機を含み、伝送媒体でほかの各種類の装置と通信するユニットとして提供される。異なるユーザ端末によっては、ユーザインタフェース８３０は、必要な機器を内部接続や外部接続するインタフェースであってもよい。接続する機器は、キーパッド、ディスプレイ、スピーカ、マイクロフォン、ジョイスティックなどを含むが、それらに限られない。
【０１０５】
プロセッサ８００は、バスアーキテクチャと通常の処理を管理する。メモリ８２０は、プロセッサ８００による操作実行に使用されるデータを記憶できる。
【０１０６】
プロセッサ８００は、さらに、前記ネットワーク側のシグナリングまたは前記ネットワーク側との事前の取り決めに基づいて、前記ネットワーク側から指示された第１アップリンクサウンディング参照信号リソースを取得する。
【０１０７】
プロセッサ８００は、さらに、前記ネットワーク側のシグナリングまたは前記ネットワーク側との事前の取り決めに基づいて、前記ネットワーク側から指示されたＮ（０以上の整数）個の第２アップリンクサウンディング参照信号リソースを取得する。
【０１０８】
プロセッサ８００は、さらに、前記目標アップリンクサウンディング参照信号のＩＤのうちの各ＩＤとＮ個の前記第２アップリンクサウンディング参照信号リソースとの対応関係を特定し、前記対応関係に基づいて、前記Ｎ個の第２アップリンクサウンディング参照信号リソースから、前記目標アップリンクサウンディング参照信号のＩＤのうちの第１ＩＤに対応する１つまたは複数の第２目標アップリンクサウンディング参照信号リソースを選択し、前記第１ＩＤに対応するビーム方向で、前記１つまたは複数の第２目標アップリンクサウンディング参照信号リソースを送信する。
【０１０９】
プロセッサ８００は、さらに、前記ネットワーク側から送信された対応関係指示情報を受信し、前記対応関係指示情報に基づいて、前記目標アップリンクサウンディング参照信号のＩＤのうちの各ＩＤとＮ個の前記第２アップリンクサウンディング参照信号リソースとの対応関係を特定し、または、前記ネットワーク側との事前の取り決めに基づいて、前記目標アップリンクサウンディング参照信号のＩＤのうちの各ＩＤとＮ個の前記第２アップリンクサウンディング参照信号リソースとの対応関係を特定する。
【０１１０】
本開示の実施例において、アップリンクビーム走査用の第１アップリンクサウンディング参照信号リソースとチャネル測定用の第２アップリンクサウンディング参照信号リソースを端末に指示することによって、端末からアップリンクサウンディング参照信号を送信可能にしてチャネルの測定を行うことによって、端末とネットワーク側の正常な通信を保証する。
【０１１１】
本願で提供されるいくつかの実施例において、開示された方法および装置は、他の方式で実施され得ることを理解されたい。以上記載した装置実施例は、単に例示的なものである。例えば、記載したユニットの区分は、単に論理機能の区分であり、実際に実現する際に別の区分方式がある。例えば、複数のユニットまたはコンポーネントは、組み合わせてもよく、別のシステムに一体化されてもよく、または、一部の特徴は、無視されてもよく、または実行されなくてもよい。また、示されておりまたは議論されている各構成部分の相互間の結合や直接結合や通信接続は、インタフェース、装置またはユニットを介した間接結合や通信接続であってもよく、電気的、機械的、または他の形式であってもよい。
【０１１２】
また、本開示の各実施例における各機能的ユニットは、全て１つの処理ユニットに一体化されていてもよいし、別々に１つのユニットとしてもよいし、２つ以上のユニットが１つのユニットに一体化されてもよい。上述した一体化ユニットは、ハードウェアの形態、またはハードウェアとソフトウェア機能ユニットの形態で実施することができる。
【０１１３】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本開示の各実施例の送受信方法のステップの一部をコンピュータ装置（パーソナルコンピュータ、サーバ、又はネットワーク装置であってもよい）に実行させるいくつかの指令を含む。前記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０１１４】
以上記載されたのは、本開示の選択可能な実施形態である。当業者は、本開示に記載されている原理を逸脱せずに様々な改良や修飾をすることもできる。これらの改良や修飾も、本開示の保護範囲として見なされるべきである。
【図１】
2020515177.tif 000003
【図２】
2020515177.tif 000004
【図３】
2020515177.tif 000005
【図４】
2020515177.tif 000006
【図５】
2020515177.tif 000007
【図６】
2020515177.tif 000008
【図７】
2020515177.tif 000009
【図８】
2020515177.tif 000010
【図９】
2020515177.tif 000011
【手続補正書】
【提出日】令和1年11月11日(2019.11.11)
【手続補正１】
【補正対象書類名】特許請求の範囲
【補正対象項目名】全文
【補正方法】変更
【補正の内容】
【特許請求の範囲】
【請求項１】
アップリンクビームの走査に用いられる第１アップリンクサウンディング参照信号リソースを端末に指示することと、
前記端末から前記第１アップリンクサウンディング参照信号リソースで送信されたアップリンクサウンディング参照信号を受信することと、
前記端末から送信されたアップリンクサウンディング参照信号に基づいて目標アップリンクサウンディング参照信号を特定し、前記目標アップリンクサウンディング参照信号のＩＤを前記端末に送信することと、
前記端末が前記目標アップリンクサウンディング参照信号のＩＤと第２アップリンクサウンディング参照信号リソースに基づいてチャネル測定用のアップリンクサウンディング参照信号を送信するように、第２アップリンクサウンディング参照信号リソースを前記端末に指示することとを含む信号処理方法。
【請求項２】
第１アップリンクサウンディング参照信号リソースを端末に指示することは、
Ｍ（０より大きい整数）個のアップリンクサウンディング参照信号リソースを含み、または、Ｍ個のポートを含む１つのアップリンクサウンディング参照信号リソースを含む第１アップリンクサウンディング参照信号リソースを、前記端末に対し構成することと、
前記第１アップリンクサウンディング参照信号リソースを、明示的シグナリングまたは暗示的シグナリングによって前記端末に指示することとを含む請求項１に記載の方法。
【請求項３】
前記端末から送信されたアップリンクサウンディング参照信号に基づいて目標アップリンクサウンディング参照信号を特定することは、
前記端末から送信されたアップリンクサウンディング参照信号に基づいて、信号品質が所定の要件を満たす１つまたは複数のアップリンクサウンディング参照信号を選択することと、
前記１つまたは複数のアップリンクサウンディング参照信号を前記目標アップリンクサウンディング参照信号とすることとを含む請求項１に記載の方法。
【請求項４】
第２アップリンクサウンディング参照信号リソースを前記端末に指示することは、
Ｎ（０以上の整数）個の第２アップリンクサウンディング参照信号リソースを、前記端末に対し構成することと、
前記第２アップリンクサウンディング参照信号リソースを、明示的シグナリングまたは暗示的シグナリングによって前記端末に指示することとを含む請求項１に記載の方法。
【請求項５】
前記第２アップリンクサウンディング参照信号リソースと前記目標アップリンクサウンディング参照信号のＩＤとの対応関係を含む対応関係指示情報を前記端末に送信すること、または、
前記第２アップリンクサウンディング参照信号リソースと前記目標アップリンクサウンディング参照信号のＩＤとの対応関係を、前記端末と予め取り決めることをさらに含む請求項１に記載の方法。
【請求項６】
ネットワーク側から指示されたアップリンクビーム走査用の第１アップリンクサウンディング参照信号リソースを取得することと、
前記第１アップリンクサウンディング参照信号リソースでアップリンクサウンディング参照信号を前記ネットワーク側に送信することと、
前記ネットワーク側から送信された目標アップリンクサウンディング参照信号のＩＤを受信することと、
前記ネットワーク側から指示された第２アップリンクサウンディング参照信号リソースを取得し、前記第２アップリンクサウンディング参照信号リソースと前記目標アップリンクサウンディング参照信号のＩＤに基づいて、チャネル測定用のアップリンクサウンディング参照信号を送信することとを含む信号処理方法。
【請求項７】
ネットワーク側から指示された第１アップリンクサウンディング参照信号リソースを取得することは、
前記ネットワーク側のシグナリングまたは前記ネットワーク側との事前の取り決めに基づいて、前記ネットワーク側から指示された第１アップリンクサウンディング参照信号リソースを取得することを含む請求項６に記載の方法。
【請求項８】
前記ネットワーク側から指示された第２アップリンクサウンディング参照信号リソースを受信することは、
前記ネットワーク側のシグナリングまたは前記ネットワーク側との事前の取り決めに基づいて、前記ネットワーク側から指示されたＮ（０以上の整数）個の第２アップリンクサウンディング参照信号リソースを取得することを含み、
および／または
前記第２アップリンクサウンディング参照信号リソースと前記目標アップリンクサウンディング参照信号のＩＤに基づいて、チャネル測定用のアップリンクサウンディング参照信号を送信することは、
前記目標アップリンクサウンディング参照信号のＩＤのうちの各ＩＤとＮ個の前記第２アップリンクサウンディング参照信号リソースとの対応関係を特定することと、
前記対応関係に基づいて、前記Ｎ個の第２アップリンクサウンディング参照信号リソースから、前記目標アップリンクサウンディング参照信号のＩＤのうちの第１ＩＤに対応する１つまたは複数の第２目標アップリンクサウンディング参照信号リソースを選択することと、
前記第１ＩＤに対応するビーム方向で、前記１つまたは複数の第２目標アップリンクサウンディング参照信号リソースを送信することとを含む請求項６に記載の方法。
【請求項９】
前記目標アップリンクサウンディング参照信号のＩＤのうちの各ＩＤとＮ個の前記第２アップリンクサウンディング参照信号リソースとの対応関係を特定することは、
前記ネットワーク側から送信された対応関係指示情報を受信し、前記対応関係指示情報に基づいて、前記目標アップリンクサウンディング参照信号のＩＤのうちの各ＩＤとＮ個の前記第２アップリンクサウンディング参照信号リソースとの対応関係を特定すること、または、
前記ネットワーク側との事前の取り決めに基づいて、前記目標アップリンクサウンディング参照信号のＩＤのうちの各ＩＤとＮ個の前記第２アップリンクサウンディング参照信号リソースとの対応関係を特定することを含む請求項８に記載の方法。
【請求項１０】
アップリンクビームの走査に用いられる第１アップリンクサウンディング参照信号リソースを端末に指示する第１指示モジュールと、
前記端末から前記第１アップリンクサウンディング参照信号リソースで送信されたアップリンクサウンディング参照信号を受信する第１受信モジュールと、
前記端末から送信されたアップリンクサウンディング参照信号に基づいて目標アップリンクサウンディング参照信号を特定し、前記目標アップリンクサウンディング参照信号のＩＤを前記端末に送信する特定モジュールと、
前記端末が前記目標アップリンクサウンディング参照信号のＩＤと第２アップリンクサウンディング参照信号リソースに基づいてチャネル測定用のアップリンクサウンディング参照信号を送信するように、第２アップリンクサウンディング参照信号リソースを前記端末に指示する第２指示モジュールとを含む信号処理装置。
【請求項１１】
前記第１指示モジュールは、
Ｍ（０より大きい整数）個のアップリンクサウンディング参照信号リソースを含み、または、Ｍ個のポートを含む１つのアップリンクサウンディング参照信号リソースを含む第１アップリンクサウンディング参照信号リソースを、前記端末に対し構成する第１構成サブモジュールと、
前記第１アップリンクサウンディング参照信号リソースを、明示的シグナリングまたは暗示的シグナリングによって前記端末に指示する第１指示サブモジュールとを含み、
および／または
前記特定モジュールは、
前記端末から送信されたアップリンクサウンディング参照信号に基づいて、信号品質が所定の要件を満たす１つまたは複数のアップリンクサウンディング参照信号を選択する選択サブモジュールと、
前記１つまたは複数のアップリンクサウンディング参照信号を前記目標アップリンクサウンディング参照信号とする特定サブモジュールとを含み、
および／または
前記第２指示モジュールは、
Ｎ（０以上の整数）個の第２アップリンクサウンディング参照信号リソースを、前記端末に対し構成する第２構成サブモジュールと、
前記第２アップリンクサウンディング参照信号リソースを、明示的シグナリングまたは暗示的シグナリングによって前記端末に指示する第２指示サブモジュールとを含む請求項１０に記載の装置。
【請求項１２】
前記第２アップリンクサウンディング参照信号リソースと前記目標アップリンクサウンディング参照信号のＩＤとの対応関係を含む対応関係指示情報を前記端末に送信し、または、前記第２アップリンクサウンディング参照信号リソースと前記目標アップリンクサウンディング参照信号のＩＤとの対応関係を、前記端末と予め取り決める処理モジュールをさらに含む請求項１０に記載の装置。
【請求項１３】
ネットワーク側から指示されたアップリンクビーム走査用の第１アップリンクサウンディング参照信号リソースを取得する取得モジュールと、
前記第１アップリンクサウンディング参照信号リソースでアップリンクサウンディング参照信号を前記ネットワーク側に送信する送信モジュールと、
前記ネットワーク側から送信された目標アップリンクサウンディング参照信号のＩＤを受信する受信モジュールと、
前記ネットワーク側から指示された第２アップリンクサウンディング参照信号リソースを取得し、前記第２アップリンクサウンディング参照信号リソースと前記目標アップリンクサウンディング参照信号のＩＤに基づいて、チャネル測定用のアップリンクサウンディング参照信号を送信する処理モジュールとを含む信号処理装置。
【請求項１４】
前記取得モジュールは、具体的に、
前記ネットワーク側のシグナリングまたは前記ネットワーク側との事前の取り決めに基づいて、前記ネットワーク側から指示された第１アップリンクサウンディング参照信号リソースを取得する請求項１３に記載の装置。
【請求項１５】
前記処理モジュールは、取得サブモジュールおよび／または処理サブモジュールを含み、
前記取得サブモジュールは、具体的に、
前記ネットワーク側のシグナリングまたは前記ネットワーク側との事前の取り決めに基づいて、前記ネットワーク側から指示されたＮ（０以上の整数）個の第２アップリンクサウンディング参照信号リソースを取得し、
前記処理サブモジュールは、
前記目標アップリンクサウンディング参照信号のＩＤのうちの各ＩＤとＮ個の前記第２アップリンクサウンディング参照信号リソースとの対応関係を特定する特定ユニットと、
前記対応関係に基づいて、前記Ｎ個の第２アップリンクサウンディング参照信号リソースから、前記目標アップリンクサウンディング参照信号のＩＤのうちの第１ＩＤに対応する１つまたは複数の第２目標アップリンクサウンディング参照信号リソースを選択する選択ユニットと、
前記第１ＩＤに対応するビーム方向で、前記１つまたは複数の第２目標アップリンクサウンディング参照信号リソースを送信する送信ユニットとを含む請求項１３に記載の装置。
【請求項１６】
前記特定ユニットは、具体的に、
前記ネットワーク側から送信された対応関係指示情報を受信し、前記対応関係指示情報に基づいて、前記目標アップリンクサウンディング参照信号のＩＤのうちの各ＩＤとＮ個の前記第２アップリンクサウンディング参照信号リソースとの対応関係を特定し、または、
前記ネットワーク側との事前の取り決めに基づいて、前記目標アップリンクサウンディング参照信号のＩＤのうちの各ＩＤとＮ個の前記第２アップリンクサウンディング参照信号リソースとの対応関係を特定する請求項１５に記載の装置。
【国際調査報告】
2020515177.tif 000012
2020515177.tif 000013
2020515177.tif 000014
2020515177.tif 000015